(57)【要約】【課題】検出対象のデータを適切に利用者に認識させることが可能となる。【解決手段】携帯電話１は、スピーカ１１と、検出対象に関するデータを検出する検出部４０と、を備え、少なくとも２つの筐体が可動部４により接続された携帯電話１であって、携帯電話１は、可動部４により少なくとも第１の状態および第２の状態に変形可能であり、第１の状態において、検出部４０が検出したデータに基づく情報をスピーカ１１から音声で出力し、第２の状態において、情報をスピーカ１１から出力しない。【選択図】図２
2018113516.tif 000002
【特許請求の範囲】
【請求項１】
スピーカと、
検出対象に関するデータを検出する検出部と、
を備え、
少なくとも２つの筐体が可動部により接続された携帯電話であって、
前記携帯電話は、前記可動部により少なくとも第１の状態および第２の状態に変形可能であり、
前記第１の状態において、前記検出部が検出した前記データに基づく情報を前記スピーカから音声で出力し、
前記第２の状態において、前記情報を前記スピーカから出力しない、携帯電話。
【請求項２】
前記第１の状態において、前記少なくとも２つの筐体全体として所定方向のサイズが前記第２の状態よりも小さくなるように変形する、請求項１に記載の携帯電話
【請求項３】
前記第１の状態において、前記情報を所定の言語の音声で出力する、請求項１または２に記載の携帯電話。
【請求項４】
前記検出部は、所定の時刻になると、前記データを検出する、請求項１から３のいずれか一項に記載の携帯電話。
【請求項５】
前記検出部が検出したデータが所定の条件を満たすと、前記第１の状態において、前記情報を出力する、請求項１から３のいずれか一項に記載の携帯電話。
【請求項６】
前記第１の状態において、前記検出部が検出したデータに基づいて、温度、気圧、歩数、前記気圧に基づく高度、移動距離、および消費熱量のいずれかの情報を出力する、請求項１から５のいずれか一項に記載の携帯電話。
【請求項７】
前記スピーカから音を出力しない動作の実行中であっても、前記第１の状態において、当該スピーカから前記情報を出力する、請求項１から６のいずれか一項に記載の携帯電話。
【請求項８】
前記情報を前記スピーカから出力させる音量を変更可能にする、請求項１から７のいずれか一項に記載の携帯電話。
【請求項９】
前記検出部が複数回検出したデータに基づく情報を出力する、請求項１から８のいずれか一項に記載の携帯電話。
【発明の詳細な説明】
【技術分野】
【０００１】
本開示は、携帯電話に関する。
【背景技術】
【０００２】
従来、周囲の温度を計測する温度計測部を備える携帯電子機器が知られている。例えば、特許文献１には、温度計測部によって計測された外部の温度変化に基づいて表示部を制御する携帯電話が記載されている。
【先行技術文献】
【特許文献】
【０００３】
【特許文献１】特開２０１０−１９８３９１号公報
【発明の概要】
【発明が解決しようとする課題】
【０００４】
上述の携帯電話は、温度変化に基づいて表示部を制御する。携帯電話の利用者が表示部の表示を参照しているか否かにかかわらず、該温度変化などをはじめとする各種の情報を適切に認識することができれば、利便性が向上する。
【０００５】
本開示の目的は、検出対象に関するデータに基づく情報を適切に利用者に認識させることができる携帯電話を提供することにある。
【０００６】
本開示の目的は、検出対象に関するデータに基づく情報を適切に利用者に認識させることができる携帯電話を提供することにある。
【課題を解決するための手段】
【０００７】
本開示の携帯電話は、スピーカと、検出対象に関するデータを検出する検出部と、を備え、少なくとも２つの筐体が可動部により接続される。前記携帯電話は、前記可動部により少なくとも第１の状態および第２の状態に変形可能である。前記携帯電話は、前記第１の状態において、前記検出部が検出した前記データに基づく情報を前記スピーカから音声で出力し、前記第２の状態において、前記情報を前記スピーカから出力しない。
【発明の効果】
【０００８】
本開示の一実施形態によれば、検出対象に関するデータに基づく情報を適切に利用者に認識させることが可能となる。
【図面の簡単な説明】
【０００９】
【図１】本実施形態に係る携帯電話の外観図であり、図１（ａ）は第２の状態における携帯電話の外観図であり、図１（ｂ）は第１の状態における携帯電話の外観図である。
【図２】図１に示す携帯電話の機能構成図である。
【図３】図２に示すコントローラがディスプレイに表示させる設定画面の例である。
【図４】図１に示す携帯電話が利用者に音声で情報を出力するイメージを示す図である。
【発明を実施するための形態】
【００１０】
以下、本開示の実施形態について、図面を参照して説明する。
【００１１】
まず、図１を参照して、本実施形態に係る携帯電話１の構成について説明する。
【００１２】
図１に示すように、本実施形態に係るフィーチャーフォンタイプの携帯電話１は、可動部４により上側筐体２と下側筐体３との位置関係が変更されて、少なくとも、図１（ｂ）に示す第１の状態、および図１（ａ）に示す、第１の状態とは異なる第２の状態を取り得る。第１の状態は、携帯電話１全体として所定方向のサイズが第２の状態よりも小さくなる状態である。例えば、図１（ｂ）に示す第１の状態における長手方向のサイズは、図１（ａ）に示す第２の状態における長手方向のサイズより小さい。
【００１３】
例えば、携帯電話１は、上側筐体２と下側筐体３とが、ヒンジによって構成された可動部４によって接続された、折りたたみ可能な開閉式の携帯電話である。上側筐体２および下側筐体３は、それぞれ可動部４の可動軸４Ｘに対して回動可能であるように取り付けられる。これにより、上側筐体２は可動軸４Ｘを中心に下側筐体３に相対的に回動する。本実施形態では、第１の状態は、上側筐体２におけるディスプレイ１３が配置された面が下側筐体３に対向する状態である。
【００１４】
本開示の実施形態の携帯電話１は、折りたたみ可能な携帯電話に限定されるものではなく、上側筐体２と下側筐体３とが互いにスライドするスライド式のフィーチャーフォンとしてもよい。また、携帯電話１は、携帯電話１全体として所定方向のサイズが小さくなるように変形するものであれば、任意の構成のものとすることができる。
【００１５】
携帯電話１は、スピーカ１１と、マイク１２と、ディスプレイ１３と、物理キー部１４とを備える。また、携帯電話１は、図２に示すように、通信部２０と、バッテリ３０と、検出部４０と、メモリ５０と、コントローラ６０と、を備える。
【００１６】
スピーカ１１は、上側筐体２の図１（ａ）に示す正面に配置され、音声を出力する。なお、スピーカ１１は、下側筐体３に配置されてもよい。このとき、スピーカ１１は、下側筐体３における、第１の状態において上側筐体２によって隠されない位置に配置されてもよい。マイク１２は、下側筐体３に配置され、周囲の音声を取得し電気信号に変換する。
【００１７】
ディスプレイ１３は、上側筐体２の図１（ａ）に示す正面に配置される。ディスプレイ１３は、液晶ディスプレイ、有機ＥＬディスプレイ、又は無機ＥＬディスプレイ等の表示デバイスである。ディスプレイ１３は、携帯電話１を操作するユーザに、文字、記号、画像、操作用オブジェクト（アイコン）等の画像など、各種の情報を表示する。ディスプレイ１３には、静電式のタッチセンサが設けられてもよい。この場合、ディスプレイ１３は、指等の人体の一部が触れている位置を検出して、検出された位置に基づく命令をコントローラ６０に入力してもよい。
【００１８】
物理キー部１４は、下側筐体３の図１（ａ）に示す正面に配置される。物理キー部１４は、携帯電話１を操作するユーザの押下入力を検出する各種の物理キーを含んで構成される。
【００１９】
物理キー部１４は、センターキー１４ａ、方向キー１４ｂ、メニューキー１４ｃ、メールキー１４ｄ、カメラキー１４ｅ、ウェブキー１４ｆ、通話開始キー１４ｇ、クリアキー１４ｈ、通話終了／電源キー１４ｉ、テンキー１４ｊ、および３つのファンクションキー（第１機能キー１４ｋ，第２機能キー１４ｌ，および第３機能キー１４ｍ）、モード設定キー１４ｎを含む。また、テンキー１４ｊは、０から９までの数字キーおよびその他の記号キーを含む。
【００２０】
物理キー部１４を構成する各キー１４ａ〜１４ｍは、下側筐体３の、図１（ａ）に示す正面に配置され、それぞれ、押しボタン式の自動復帰型スイッチなどで構成することができる。モード設定キー１４ｎは、切り替え式のスイッチなどで構成することができ、例えば、下側筐体３の側面（図１（ａ）においては左側面）に配置される。
【００２１】
物理キー部１４が利用者によって押下されることによって、該押下に基づく命令がコントローラ６０に入力される。テンキー１４ｊには、静電式のセンサが設けられてもよい。この場合、テンキー１４ｊの、指等の人体の一部が触れている位置、該位置の変化等に基づく命令がコントローラ６０に入力される。
【００２２】
物理キー部１４を構成する各キーの機能は、一般的な携帯電話と同様にし得るため、より詳細な説明は省略する。また、図１（ａ）においては、物理キー部１４を構成する各キーのキートップに刻印される文字又は記号などは、適宜、簡略化又は省略して示してある。
【００２３】
また、通信部２０、バッテリ３０、検出部４０、メモリ５０、およびコントローラ６０は、上側筐体２及び／又は下側筐体３の内部に配置される。
【００２４】
通信部２０は、アンテナを介して例えば無線通信基地局などと無線通信することにより通信ネットワークに接続し、携帯電話１の通話および通信の機能を実現する。通信部２０は、通常のフィーチャーフォンが備える通信機能を実現する要素と同様に構成し得るため、より詳細な説明は省略する。
【００２５】
バッテリ３０は、上述の、スピーカ１１と、マイク１２と、ディスプレイ１３と、物理キー部１４と、通信部２０と、検出部４０と、メモリ５０と、コントローラ６０とを含む、各部を動作させるために電力を供給する。バッテリ３０は、充放電可能な二次電池であることが好ましいが、一次電池であってもよい。
【００２６】
本実施形態では、コントローラ６０は、利用者による物理キー部１４の操作を検出することにより、通知の種類と、音声出力の対象となるデータとを設定する。例えば、コントローラ６０は、ディスプレイ１３に図３に示すような設定画面を表示させる。設定画面には、所定の時刻にデータに基づく情報を示す音声を出力させるか否か（通知対象に設定するか否か）を選択させるＯＮ及びＯＦＦが表示されている（図３の「定刻通知」参照）。データに基づく情報は、検出部４０が検出したデータとすることができる。また、データに基づく情報は、コントローラ６０が該データに演算を行って得た情報でもよい。また、データに基づく情報は、例えば、データに対応付けられてメモリ５０に記憶されている情報でもよい。
【００２７】
例えば、コントローラ６０は、利用者による方向キー１４ｂの押下によって、設定画面の定刻通知に対応するＯＮ又はＯＦＦにカーソルを表示させる。このとき、利用者が、例えば、センターキー１４ａを押下することによって、設定画面の定刻通知に対応するＯＮからＯＦＦに切り換えられたり、また逆にＯＦＦからＯＮに切り替えられたりする。図３に示す例では、ＯＮにカーソルが表示され、定刻通知はＯＮに設定されている。この場合、後述する音声通知機能が実行されると、コントローラ６０は定刻通知に係る処理を実行する。また、定刻通知がＯＦＦに設定されている場合、音声通知機能が実行されても、コントローラ６０は定刻通知に係る処理を実行しない。あるいは、定刻通知がＯＦＦに設定されている場合、コントローラ６０は、音声通知機能が実行されないようにしてもよい。
【００２８】
また、携帯電話１が通信部２０の送受信する電波の届く範囲にある圏内であるか、届かない範囲にある圏外であるかを音声で出力させるか否かを選択させるＯＮ及びＯＦＦが表示される（図３の「圏内圏外通知」参照）。例えば、コントローラ６０は、利用者による方向キー１４ｂの押下によって、設定画面の圏内圏外通知に対応するＯＮ又はＯＦＦにカーソルを表示させる。このとき、利用者が、例えば、センターキー１４ａを押下することによって、設定画面の定刻通知に対応するＯＮからＯＦＦに切り換えられたり、また逆にＯＦＦからＯＮに切り替えられたりする。図３に示す例では、ＯＮにカーソルが表示され、圏内圏外通知はＯＮに設定されている。この場合、後述する音声通知機能が実行されると、コントローラ６０は圏内圏外通知に係る処理を実行する。また、定刻通知がＯＦＦに設定されている場合、音声通知機能が実行されても、コントローラ６０は圏内圏外通知に係る処理を実行しない。あるいは、圏内圏外通知がＯＦＦに設定されている場合、コントローラ６０は、音声通知機能が実行されないようにしてもよい。
【００２９】
また、設定画面には、検出部４０によって検出されたデータに変化があった場合に、データに基づく情報を示す音声を出力させるか否かを選択させるＯＮ及びＯＦＦが表示される（図３の「イベント通知」参照）。例えば、コントローラ６０は、利用者による方向キー１４ｂの押下によって、設定画面の圏内圏外通知に対応するＯＮ又はＯＦＦにカーソルを表示させる。このとき、利用者が、例えば、センターキー１４ａを押下することによって、設定画面の定刻通知に対応するＯＮからＯＦＦに切り換えられたり、また逆にＯＦＦからＯＮに切り替えられたりする。図３に示す例では、ＯＮにカーソルが表示され、イベント通知はＯＮに設定されている。この場合、後述する音声通知機能が実行されると、コントローラ６０はイベント通知に係る処理を実行する。また、定刻通知がＯＦＦに設定されている場合、音声通知機能が実行されても、コントローラ６０はイベント通知に係る処理を実行しない。あるいは、イベント通知がＯＦＦに設定されている場合、コントローラ６０は、音声通知機能が実行されないようにしてもよい。
【００３０】
また、設定画面には、データに基づく情報である温度、高度、気圧、歩数、移動距離、およびバッテリ残量に関する情報をそれぞれ音声で出力させるか否かを選択させるチェックボックスが表示される。例えば、コントローラ６０は、利用者による方向キー１４ｂの押下によって、温度、高度、気圧、歩数、移動距離、およびバッテリ残量にそれぞれ対応するチェックボックスにカーソルを表示させる。このとき、利用者が、例えば、センターキー１４ａを押下することによって、チェックボックスにチェックが付されたり、外されたりする。図３に示す例では、温度に対応するチェックボックスにチェックが付されている。この場合、後述する音声通知機能が実行されると、コントローラ６０は温度に係る処理を実行する。また、温度に対応するチェックボックスにチェックが付されていない場合、音声通知機能が実行されても、コントローラ６０は温度を通知する処理を実行しない。あるいは、温度に対応するチェックボックスにチェックが付されていない場合、コントローラ６０は、音声通知機能が実行されないようにしてもよい。高度、気圧、歩数、移動距離、およびバッテリ残量についても同様である。なお、後述する消費熱量は、選択項目の内の歩数または移動距離に含まれていてよい。
【００３１】
また、コントローラ６０は、利用者による物理キー部１４の押下に基づいて、スピーカ１１から出力させる音量を可変に制御する。図３に示す例では、コントローラ６０は、利用者による物理キー部１４の操作に基づいて入力された音量を示す数字をディスプレイ１３に表示させている。このとき、コントローラ６０は、利用者の操作に基づいて入力された音量をメモリ５０に記憶させる。図３の設定画面における音量設定は、該設定画面において設定される音声の出力（後述する音声通知機能の実行による音声の出力）に専用されてよい。この場合、携帯電話１は、後述する音声通知機能の実行とは異なる通常の音声出力のための音量が図３の設定画面とは異なる他の画面で設定できるようにしてもよい。
【００３２】
コントローラ６０は、利用者による物理キー部１４の押下に応じてスピーカ１１の音声出力に係るモードを設定する。具体的には、コントローラ６０は、利用者の操作に基づいて入力されたサイレントモード、音出力モード等のモードをメモリ５０に記憶させる。
【００３３】
携帯電話１がサイレントモードに設定された場合、コントローラ６０は、スピーカ１１から音を出力する動作を実行しない。このとき、コントローラ６０は、音が出力されるべきタイミングで、圧電素子等を用いて携帯電話１を振動させてもよい。また、このとき、コントローラ６０は、音が出力されるべきタイミングで、ディスプレイ１３に所定の表示をさせてもよい。
【００３４】
携帯電話１が音出力モードに設定された場合、コントローラ６０は、検出部４０が検出したデータに基づく情報を示す音声を出力させる。コントローラ６０は、情報を示すテキストを生成し、該テキストを示す音声合成処理を行うことによって出力させる音声を生成する。また、コントローラ６０は予めメモリ５０に記憶された音声データであって、予めサンプリングされた音声データを抽出してもよい。
【００３５】
検出部４０は、気圧センサ４１、温度センサ４２、加速度センサ４３、バッテリ残量センサ４４、電波センサ４５、状態センサ４６等を含んで構成される。検出部４０は、検出対象に関するデータを検出する。ここで、検出対象とは、検出部４０が検出を行う対象である。この検出対象は、携帯電話１の全部または一部とすることもできるし、携帯電話１の周囲環境における種々の対象（携帯電話１の利用者も含む）とすることもできる。また、検出対象に関するデータとは、例えば、気圧、温度、利用者が移動した歩数、バッテリ３０のバッテリ残量、通信部２０が通信するために用いる電波の強度等を含む。検出部４０は、所定の時刻に、又は所定の時間間隔でデータを検出する。所定の時刻とは、例えば、利用者によって予め設定された時刻である。所定の時刻は、例えば、各時の００分および３０分とすることができる。所定の時間間隔は、任意の時間間隔とすることができるが、例えば、１５分間隔又は３０分間隔とすることができる。所定の時間間隔は、例えば、利用者によって予め設定された時間間隔としてもよい。また、コントローラ６０は、検出部４０が複数回検出したデータに基づく情報を音声でスピーカ１１から出力させてもよい。
【００３６】
気圧センサ４１は、検出対象に関するデータとして、携帯電話１の周囲環境の気圧を検出して、コントローラ６０に出力する。
【００３７】
温度センサ４２は、検出対象に関するデータとして、携帯電話１の周囲環境の温度を検出して、コントローラ６０に出力する。
【００３８】
加速度センサ４３は、検出対象に関するデータとして、携帯電話１にかかる加速度を定期的に検出し、複数回にわたって検出された各時刻に関連付けられた加速度を表す加速度データをコントローラ６０に出力する。
【００３９】
バッテリ残量センサ４４は、検出対象に関するデータとして、バッテリ残量を検出するためのバッテリ３０の電圧を検出し検出された電圧をコントローラ６０に出力する。
【００４０】
電波センサ４５は、検出対象に関するデータとして、通信部２０が通信を行うために用いる電波の強度を検出する。
【００４１】
状態センサ４６は、上側筐体２の、可動軸４Ｘを中心にした下側筐体３に対する相対的な回動に基づく携帯電話１の状態を検出する。状態センサ４６は、例えば、上側スイッチ４６ａと下側スイッチ４６ｂとによって構成される。図１（ａ）に示す上側スイッチ４６ａは、上側筐体２に配置される。また、下側スイッチ４６ｂは、下側筐体３に配置される。上側スイッチ４６ａと下側スイッチ４６ｂとがそれぞれ配置される位置は、携帯電話１が閉じられた第１の状態（図１（ｂ）参照）において、対向し、互いに接触する。これにより、コントローラ６０は、上側スイッチ４６ａと下側スイッチ４６ｂとが互いに接触していると、携帯電話１が第１の状態をとっていると判定する。
【００４２】
また、状態センサ４６は、可動部４の状態に応じてオン／オフが切り換わるスイッチで構成してもよい。この場合、状態センサ４６を構成するスイッチは、例えば携帯電話１が開かれた第２の状態（図１（ａ））においてオフになり、携帯電話１が閉じられた第１の状態（図１（ｂ））においてオンになるようにしてもよい。これにより、コントローラ６０は、スイッチがオンになっていると携帯電話１が第１の状態をとっていると判定する。
【００４３】
また、状態センサ４６は、例えば、磁気センサと磁石とによって構成されてもよい。この場合、磁気センサは、上側筐体２に配置される。また、磁石は、下側筐体３に配置される。磁気センサと磁石とがそれぞれ配置される位置は、携帯電話１が閉じられた第１の状態（図１（ｂ）参照）において、互いに近傍で対向する。磁気センサは、磁力を検出し、検出した磁力をコントローラ６０に出力する。これにより、コントローラ６０は、磁気センサから出力された磁力が所定の閾値より大きい場合、携帯電話１が第１の状態をとっていると判定する。なお、携帯電話１が第１の状態をとっていると判定する方法としては、以上に例示した各種手段の他にも、一般的な携帯電話に採用されるあらゆる公知技術が用いられてよい。
【００４４】
メモリ５０は、例えばＲＡＭおよびＲＯＭなど、任意の記憶デバイスを含んで構成される。メモリ５０は、各種情報や携帯電話１を動作させるためのプログラム等を記憶するとともに、ワークメモリとしても機能する。メモリ５０は、コントローラ６０に特定の機能を実行させるプログラムも記憶する。
【００４５】
また、メモリ５０は、検出部４０によって検出されたデータに基づく情報を、該情報に係るデータが検出された時刻又は順番に関連付けて記憶する。
【００４６】
コントローラ６０は、携帯電話１の各機能ブロックをはじめとして、携帯電話１の全体を制御および管理する。コントローラ６０は、制御手順を規定したプログラムを実行するＣＰＵ等のプロセッサとすることができる。コントローラ６０が実行するプログラムは、例えばメモリ５０又は外部の記憶媒体等に格納される。
【００４７】
コントローラ６０は、利用者の操作による開始の指示が入力されると、音声通知機能の動作を開始する。コントローラ６０は、音声通知機能において、検出部４０が所定の時刻に検出対象に関するデータを検出すると、携帯電話１が第１の状態にあるか否かを判定する。コントローラ６０は、携帯電話１が第１の状態にあると判定すると、検出されたデータに基づく情報を示す音声でスピーカ１１から出力させる。このとき出力される音声は、例えば日本語または英語のような所定の言語を形成する音声とすることができる。また、上述のように、コントローラ６０がサイレントモードを設定している、すなわち、コントローラ６０がスピーカ１１から音を出力しない動作の実行中であっても、該コントローラ６０は、検出部４０が検出したデータに基づく情報をスピーカ１１から音声で出力させる。
【００４８】
次に、本実施形態に係る携帯電話１の動作について説明する。
【００４９】
コントローラ６０は、携帯電話１が第１の状態、すなわち、携帯電話１の所定方向のサイズが、該携帯電話１がとり得る他の状態より小さいときに音声通知機能を実行する。また、コントローラ６０は、設定した通知対象に関するデータについてのみ音声通知機能を実行する。
【００５０】
（定刻出力）
コントローラ６０は、所定の時刻に、検出部４０が検出したデータに基づく情報をスピーカ１１から音声で出力させる。具体的には、コントローラ６０は、所定の時刻に検出部４０にデータを検出させる。そして、コントローラ６０は、携帯電話１が第１の状態にあると判定すると、検出部４０が検出したデータを出力させる。また、コントローラ６０は、検出部４０が定期的に検出したデータの少なくとも一部を所定の時刻に出力させてもよい。
【００５１】
例えば、コントローラ６０は、気圧センサ４１が所定の時刻に気圧を検出すると、状態センサ４６から出力された磁力などの信号に基づいて、携帯電話１が第１の状態にあるか否かを判定する。コントローラ６０は、携帯電話１が第１の状態にあると判定すると、該気圧のデータに基づく情報を音声でスピーカ１１から出力させる。また、コントローラ６０は、温度センサ４２が所定の時刻に温度を計測すると、該温度のデータに基づく情報を音声でスピーカ１１から出力させる。また、コントローラ６０は、所定の時刻に、加速度センサ４３が音声通知機能の動作開始から継続して計数した歩数のデータに基づく情報を音声でスピーカ１１から出力させる。また、コントローラ６０は、バッテリ残量センサ４４が所定の時刻にバッテリ残量を検出すると、該バッテリ残量のデータに基づく情報を音声でスピーカ１１から出力させる。
【００５２】
また、コントローラ６０は、検出部４０によって検出されたデータから算出された情報を出力してもよい。
【００５３】
例えば、コントローラ６０は、加速度センサ４３から出力された加速度に基づいて、該加速度センサ４３を含む携帯電話１の利用者が移動した歩数、移動距離、消費熱量の１つ以上を算出する。具体的には、例えば、コントローラ６０は、加速度センサ４３によって計測された加速度の変化である振動の回数に基づいて歩数を算出する。また、コントローラ６０は、算出した歩数と、利用者の歩幅とに基づいて移動距離を算出する。利用者の歩幅は、歩行時における一般的な歩幅であってもよいし、利用者の操作により予めメモリ５０に記憶された歩幅であってもよい。さらに、コントローラ６０は、移動距離と、利用者の年齢および体重に基づいて消費熱量を算出する。利用者の年齢および体重は、予めメモリ５０に記憶されたそれぞれ年齢および体重とすることができる。そして、コントローラ６０は、算出した歩数、移動距離、消費熱量を検出されたデータに基づく情報として音声でスピーカ１１から出力させる。
【００５４】
また、携帯電話１が、加速度センサ４３に代えて、又は加速度センサ４３と共にＧＰＳ（Global Positioning System）受信機を有している場合、コントローラ６０は、ＧＰＳ受信機がＧＰＳ衛星から受信した位置の変化に基づいて利用者の移動距離を算出してもよい。この場合、コントローラ６０は、算出した移動距離と、利用者の歩幅とに基づいて歩数を算出することができる。
【００５５】
また、コントローラ６０は、バッテリ残量センサ４４から検出されたバッテリ３０の電圧からバッテリ３０のバッテリ残量を算出する。そして、コントローラ６０は、算出したバッテリ残量をデータに基づく情報として音声でスピーカ１１から出力させる。
【００５６】
また、コントローラ６０は、気圧センサ４１によって検出された気圧から高度を算出する。この場合、コントローラ６０は、算出した高度をデータに基づく情報として音声でスピーカ１１から出力させる。
【００５７】
（イベント出力）
また、コントローラ６０は、検出部４０が検出したデータに基づく情報が所定の条件を満たすと、データに基づく情報を音声でスピーカ１１から出力させる。
【００５８】
具体的には、コントローラ６０は、データに基づく情報が所定の条件を満たす場合に、該情報を音声でスピーカ１１から出力させる。コントローラ６０は、データに基づく情報が所定の条件を満たさない場合に、該情報を出力させない。
【００５９】
より具体的には、例えば、コントローラ６０は、気圧センサ４１が気圧を検出すると、気圧が９００ｈｐａ未満であるか否かを判定する。コントローラ６０は、気圧が９００ｈｐａ未満である場合に、当該気圧、又は気圧が変化した旨を音声でスピーカ１１から出力させる。
【００６０】
また、例えば、コントローラ６０は、温度センサ４２が温度を検出すると、温度が３０度以上であるか否かを判定する。コントローラ６０は、温度が例えば３０度以上である場合に、当該温度、又は温度が変化した旨を音声でスピーカ１１から出力させる。
【００６１】
また、例えば、コントローラ６０は、加速度センサ４３が歩数を検出すると、歩数が３０００歩以上であるか否かを判定する。コントローラ６０は、歩数が例えば３０００歩以上である場合に、当該歩数、又は歩数が所定値に到達した旨を音声でスピーカ１１から出力させる。
【００６２】
また、例えば、コントローラ６０は、気圧センサ４１が気圧を検出すると、気圧に基づいて高度を算出し、該高度が例えば１０００ｍ以上であるか否かを判定する。コントローラ６０は、高度が１０００ｍ以上である場合に、当該高度、又は高度が所定値に到達した旨を音声でスピーカ１１から出力させる。
【００６３】
また、例えば、コントローラ６０は、加速度センサ４３が歩数を検出すると、歩数に基づいて移動距離を算出し、該移動距離が所定距離以上であるか否かを判定する。コントローラ６０は、移動距離が所定距離以上である場合に、当該移動距離、又は移動距離が所定距離に到達した旨を音声でスピーカ１１から出力させる。コントローラ６０は、移動距離に基づいて消費熱量を算出し、消費熱量が所定量以上であるか否かを判定してもよい。この場合、コントローラ６０は、消費熱量が所定量以上である場合に、消費熱量、又は消費熱量が所定量に到達した旨を音声でスピーカ１１から出力させる。
【００６４】
（複数回の検出に基づく出力）
また、コントローラ６０は、検出部４０が所定の時間間隔で検出対象に関するデータを複数回検出するようにしてもよい。
【００６５】
具体的には、コントローラ６０は所定の時間間隔でデータを検出すると、それぞれ検出したデータをメモリ５０に記憶させる。コントローラ６０は、検出部４０が複数回検出したデータのうちの任意の２つのデータの差を算出して出力させてもよい。例えば、コントローラ６０は、検出部４０が検出したデータと、該検出より前に検出されてメモリ５０に記憶されているデータとの差を算出する。また、コントローラ６０は、メモリ５０に記憶されている任意の２つのデータの差を算出してもよい。また、コントローラ６０は、複数回検出したデータの推移、変化率等を算出して出力させてもよい。
【００６６】
より具体的には、コントローラ６０は、音声通知機能の動作開始から所定の時間が経過するごとに、気圧センサ４１によって検出された気圧をメモリ５０に記憶させる。コントローラ６０は、複数回検出された気圧に基づく情報を出力させる。例えば、コントローラ６０は、検出部４０が検出した気圧と、該検出より前に検出されて既にメモリ５０に記憶されている気圧との差である気圧差を算出して、スピーカ１１から出力させる。コントローラ６０は、メモリ５０に記憶されている、複数の気圧の推移をスピーカ１１から出力させてもよい。また、コントローラ６０は、メモリ５０に記憶されている、複数の気圧の変化率を算出してスピーカ１１から出力させてもよい。コントローラ６０は、これらの出力に限られず、検出部４０が検出した気圧と、メモリ５０に記憶されている気圧に基づく任意の情報を出力することができる。
【００６７】
また、コントローラ６０は、温度、歩数、電池残量、高度、移動距離、消費熱量についても同様に情報を出力することができる。
【００６８】
（メモリに記憶されている情報に基づく出力）
また、コントローラ６０は、検出部４０が検出したデータに基づく情報を出力させた後、検出部４０が新たに検出したデータに基づく情報を所定の状況下になるまで出力させなくしてもよい。所定の状況とは、検出部４０が検出したデータに基づく情報についての状況であり、予め設定されるものとすることができる。
【００６９】
例えば、検出部４０が気圧センサ４１であり、所定の状況が、９００ｈＰａ以上の気圧が所定回数以上、連続して検出されるという状況である場合の例について説明する。気圧センサ４１が気圧８９５ｈｐａを検出すると、コントローラ６０は、該気圧を音声で出力させた後、所定回数以上、連続して９００ｈＰａ以上の気圧が検出されるまで、９００ｈＰａ未満の気圧が検出されても、検出したデータに基づく情報を音声でスピーカ１１から出力させない。すなわち、気圧センサ４１が気圧８９５ｈｐａを検出して該気圧を音声で出力させた後、所定回数以上、連続して９００ｈＰａ以上の気圧が検出されると、以降において、コントローラ６０は、９００ｈＰａ未満の気圧が検出されたときに、該気圧を音声で出力させる。
【００７０】
また、例えば、検出部４０が温度センサ４２であり、所定の状況が、３０度未満の温度が所定回数以上、連続して検出されるという状況である場合の例について説明する。コントローラ６０は、温度センサ４２が温度３１度を検出すると、該温度を音声で出力させた後、所定回数以上、連続して３０度未満の温度が検出されるまで、３０度以上の温度が検出されても、検出したデータに基づく情報を音声でスピーカ１１から出力させない。すなわち、温度センサ４２が３１度の温度を検出して該温度を音声で出力させた後、所定回数以上、連続して３０度未満の温度が検出されると、以降において、コントローラ６０は、３０度以上の温度が検出されたときに、該温度を音声で出力させる。
【００７１】
検出部４０が、加速度センサ４３又はバッテリ残量センサ４４である場合についても同様に動作させることができる。
【００７２】
（通知の出力）
また、コントローラ６０は、検出部４０が検出したデータに基づく情報とともに、または当該情報に代えて、当該情報に対応する、注意喚起を促すような内容を含む通知を音声でスピーカ１１から出力させてもよい。コントローラ６０は、検出部４０が検出したデータが通知条件を満たす場合に通知を出力させる。
【００７３】
具体的には、例えば、通知条件が「気圧が８５０ｈＰａ未満」である場合、コントローラ６０は、気圧センサ４１によって検出された気圧が８５０ｈＰａ未満であるときに、例えば、「気圧が低いです。ご注意ください。」といった通知情報を当該気圧とともに音声で出力する。
【００７４】
また、例えば、通知条件が「温度が３０度以上」である場合、コントローラ６０は、気圧センサ４１によって検出された温度が３０度以上であるときに、例えば、「温度が高いです。熱中症に注意ください。」といった通知情報を当該温度とともに音声で出力する。
【００７５】
（圏内圏外通知）
コントローラ６０は、音声通知機能の動作開始から継続して、携帯電話１が、通信部２０が通信するために送受信する電波の届く圏内にあるか圏外にあるかを判定する。具体的には、コントローラ６０は、電波センサ４５によって計測された電波強度が強度閾値以上であるか否かを判定し、電波強度が強度閾値以上である場合には圏内であるとし、電波強度が強度閾値未満である場合には圏外であるとする。コントローラ６０は、携帯電話１が圏内にあると判定すると、その旨を音声でスピーカ１１から出力させる。コントローラ６０は、携帯電話１が圏外にあると判定すると、その旨を音声でスピーカ１１から出力させる。
【００７６】
また、コントローラ６０は、所定の時間間隔で、携帯電話１が圏内にあるか圏外にあるかを判定し、圏内であると判定された直後に圏外であると判定されたときに、その旨を音声でスピーカ１１から出力させる。また、コントローラ６０は、圏外であると判定された直後に圏内であると判定されたときに、その旨を音声でスピーカ１１から出力させる。
【００７７】
以上説明したように、本実施形態に係る携帯電話１においては、第１の状態において、検出部４０によって検出されたデータに基づく情報をスピーカ１１から音声で出力させる。このため、図４に示すように、利用者は、携帯電話１の画面を参照したり、操作したりすることなく、温度、気圧、高度、移動距離等のデータを認識することができる。したがって、利用者は、携帯電話１を参照および操作するために自身の行動を中断することなく、所望のデータを認識することができる。また、携帯電話１が第２の状態にあるとき、すなわち、利用者が所望の機能を動作させるために操作してディスプレイ１３を参照していると見込まれるときは、データに基づく情報が音声で出力されない。このため、出力された音声が利用者の操作への集中を妨げることを防ぐことができる。
【００７８】
また、本実施形態に係る携帯電話１は、所定の時刻に、検出部４０が検出したデータを出力してもよい。この場合、利用者は、自ら時間の経過を確認し、携帯電話１の操作を行うことなく、定期的に温度、気圧、高度、移動距離等のデータを認識することができる。
【００７９】
また、本実施形態に係る携帯電話１は、検出部４０が検出したデータが所定の条件を満たすと、データに基づく情報を出力してもよい。この場合、利用者は、温度、気圧、高度、移動距離等のデータの履歴に応じて、各種データを認識することができる。そのため、利用者は、データの変化、推移等を適切に把握することができる。
【００８０】
また、本実施形態に係る携帯電話１は、温度、気圧、高度、歩数、移動距離、および消費熱量を出力してもよい。この場合、利用者は、自身の体調に影響を及ぼす各種のデータを認識することができ、これに基づき、適切な体調管理を行うことができる。
【００８１】
また、本実施形態に係る携帯電話１は、スピーカ１１から音を出力させない動作の実行中であっても、データに基づく情報を出力してもよい。この場合、利用者は、携帯電話１による電話の着信、メールの着信等に関する音の出力を望まないときであっても、検出部４０によって検出されたデータについては音声で認識することができる。すなわち、利用者は、自身の体調などに影響を及ぼす可能性のある重要なデータについて適切に把握することができる。
【００８２】
また、本実施形態に係る携帯電話１は、スピーカ１１から出力させる音量を可変に制御にしてもよい。この場合、利用者は自身にとって快適な音量で出力された情報を示す音声を聞くことができる。
【００８３】
また、本実施形態に係る携帯電話１は、検出部４０が複数回検出したデータに基づく情報を出力してもよい。この場合、利用者は、温度、気圧、高度、移動距離等のデータの履歴に応じて、データを認識することができる。そのため、利用者は、データの変化、推移等を適切に把握することができる。
【００８４】
上述の実施形態は代表的な例として説明したが、本開示の趣旨および範囲内で、多くの変更および置換ができることは当業者に明らかである。したがって、本開示は、上述の実施形態によって制限するものと解するべきではなく、特許請求の範囲から逸脱することなく、種々の変形や変更が可能である。例えば、実施形態に記載の複数の構成ブロックを１つに組合せたり、あるいは１つの構成ブロックを分割したりすることが可能である。
【００８５】
例えば、上述の実施形態においては、コントローラ６０は、携帯電話１が第１の状態であると、検出部４０によって検出されたデータに基づく情報を音声で出力させるとした。しかしながら、携帯電話１の動作は、このような態様に限定されない例えば、コントローラ６０は、ディスプレイ１３に画面を表示させていないときに、検出部４０によって検出されたデータに基づく情報を音声で出力させてもよい。ここで、「画面を表示させていない」とは、例えばディスプレイ１３をオフにしている状況、またはディスプレイ１３のバックライトをオフにしている状況などとすることができる。また、「画面を表示させていない」とは、例えばコントローラ６０がディスプレイ１３に所定の情報を表示する信号を出力していない状況などとしてもよい。この場合も、利用者は、携帯電話１の画面を参照したり、操作したりすることなく、温度、気圧、高度、移動距離等のデータを認識することができる。したがって、利用者は、携帯電話１を参照および操作するために自身の行動を中断することなく、所望のデータを認識することができる。
【符号の説明】
【００８６】
１      携帯電話
２      上側筐体
３      下側筐体
４      可動部
４Ｘ    可動軸
１１    スピーカ
１２    マイク
１３    ディスプレイ
１４    物理キー部
１４ａ  センターキー
１４ｂ  方向キー
１４ｃ  メニューキー
１４ｄ  メールキー
１４ｅ  カメラキー
１４ｆ  ウェブキー
１４ｇ  通話開始キー
１４ｈ  クリアキー
１４ｉ  通話終了／電源キー
１４ｊ  テンキー
１４ｋ  第１機能キー
１４ｌ  第２機能キー
１４ｍ  第３機能キー
１４ｎ  モード設定キー
２０    通信部
３０    バッテリ
４０    検出部
４１    気圧センサ
４２    温度センサ
４３    加速度センサ
４４    バッテリセンサ
４５    電波センサ
４６    状態センサ
４６ａ  上側スイッチ
４６ｂ  下側スイッチ
５０    メモリ
６０    コントローラ
【図１】
2018113516.tif 000003
【図２】
2018113516.tif 000004
【図３】
2018113516.tif 000005
【図４】
2018113516.tif 000006
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
スピーカと、
検出対象に関するデータを検出する検出部と、
を備え、
少なくとも２つの筐体が可動部により接続された携帯電話であって、
前記携帯電話は、前記可動部により少なくとも当該携帯電話が閉じられた第１の状態および当該携帯電話が開かれた第２の状態に変形可能であり、
前記第１の状態において第１条件を満たすと、前記検出部が検出した前記データに基づく情報を前記スピーカから音声で出力し、
前記第２の状態において前記第１条件を満たしても、前記情報の前記スピーカからの出力はしない、携帯電話。
【請求項２】
前記第１の状態において、前記少なくとも２つの筐体全体として所定方向のサイズが前記第２の状態よりも小さくなるように変形する、請求項１に記載の携帯電話。
【請求項３】
前記第１の状態において、前記情報を所定の言語の音声で出力する、請求項１または２に記載の携帯電話。
【請求項４】
前記検出部は、所定の時刻になると、前記データを検出する、請求項１から３のいずれか一項に記載の携帯電話。
【請求項５】
前記検出部が検出したデータが所定の条件を満たすと、前記第１の状態において、前記情報を出力する、請求項１から３のいずれか一項に記載の携帯電話。
【請求項６】
前記第１の状態において、前記検出部が検出したデータに基づいて、温度、気圧、歩数、前記気圧に基づく高度、移動距離、および消費熱量のいずれかの情報を出力する、請求項１から５のいずれか一項に記載の携帯電話。
【請求項７】
前記スピーカから音を出力しない動作の実行中であっても、前記第１の状態において、当該スピーカから前記情報を出力する、請求項１から６のいずれか一項に記載の携帯電話。
【請求項８】
前記情報を前記スピーカから出力させる音量を変更可能にする、請求項１から７のいずれか一項に記載の携帯電話。
【請求項９】
前記検出部が複数回検出したデータに基づく情報を出力する、請求項１から８のいずれか一項に記載の携帯電話。
【手続補正２】
【補正対象書類名】明細書
【補正対象項目名】０００７
【補正方法】変更
【補正の内容】
【０００７】
本開示の携帯電話は、スピーカと、検出対象に関するデータを検出する検出部と、を備え、少なくとも２つの筐体が可動部により接続される。前記携帯電話は、前記可動部により少なくとも当該携帯電話が閉じられた第１の状態および当該携帯電話が開かれた第２の状態に変形可能である。前記携帯電話は、前記第１の状態において第１条件を満たすと、前記検出部が検出した前記データに基づく情報を前記スピーカから音声で出力し、前記第２の状態において前記第１条件を満たしても、前記情報の前記スピーカからの出力はしない。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
スピーカと、
検出対象に関するデータを検出する検出部と、
を備え、
少なくとも２つの筐体が可動部により接続された携帯電話であって、
前記携帯電話は、前記可動部により少なくとも当該携帯電話が閉じられた第１の状態および当該携帯電話が開かれた第２の状態に変形可能であり、
前記第１の状態において第１条件を満たすと、前記検出部が検出した前記データに基づく情報を前記スピーカから音声で出力し、
前記第２の状態において前記第１条件を満たしても、前記情報の前記スピーカからの出力はせず、
前記スピーカから音を出力しない動作の実行中であっても、前記第１の状態において、当該スピーカから前記情報を出力する、携帯電話。
【請求項２】
前記第１の状態において、前記少なくとも２つの筐体全体として所定方向のサイズが前記第２の状態よりも小さくなるように変形する、請求項１に記載の携帯電話。
【請求項３】
前記第１の状態において、前記情報を所定の言語の音声で出力する、請求項１または２に記載の携帯電話。
【請求項４】
前記検出部は、所定の時刻になると、前記データを検出する、請求項１から３のいずれか一項に記載の携帯電話。
【請求項５】
前記検出部が検出したデータが所定の条件を満たすと、前記第１の状態において、前記情報を出力する、請求項１から３のいずれか一項に記載の携帯電話。
【請求項６】
前記第１の状態において、前記検出部が検出したデータに基づいて、温度、気圧、歩数、前記気圧に基づく高度、移動距離、および消費熱量のいずれかの情報を出力する、請求項１から５のいずれか一項に記載の携帯電話。
【請求項７】
前記情報を前記スピーカから出力させる音量を変更可能にする、請求項１から６のいずれか一項に記載の携帯電話。
【請求項８】
前記検出部が複数回検出したデータに基づく情報を出力する、請求項１から７のいずれか一項に記載の携帯電話。
【手続補正２】
【補正対象書類名】明細書
【補正対象項目名】０００７
【補正方法】変更
【補正の内容】
【０００７】
本開示の携帯電話は、スピーカと、検出対象に関するデータを検出する検出部と、を備え、少なくとも２つの筐体が可動部により接続される。前記携帯電話は、前記可動部により少なくとも当該携帯電話が閉じられた第１の状態および当該携帯電話が開かれた第２の状態に変形可能である。前記携帯電話は、前記第１の状態において第１条件を満たすと、前記検出部が検出した前記データに基づく情報を前記スピーカから音声で出力し、前記第２の状態において前記第１条件を満たしても、前記情報の前記スピーカからの出力はしない。前記携帯電話は、前記スピーカから音を出力しない動作の実行中であっても、前記第１の状態において、当該スピーカから前記情報を出力する。